(57)【特許請求の範囲】
【請求項１】
内部に貯血空間を有するローターと、前記貯血空間に連通する流入口および流出口とを有し、前記ローターの回転により前記流入口より導入された血液を前記貯血空間内で遠心分離する遠心分離器と、採血針もしくは採血器具接続部と前記遠心分離器の流入口とに接続された第１のラインと、前記遠心分離器の流出口に接続された第２のラインと、前記第１のラインおよび前記第２のラインに接続された血漿採取バッグと、前記第２のラインに接続された血小板採取バッグとを有する血液成分採取回路を備えた血液成分採取装置であって、
前記血液成分採取装置は、前記遠心分離器のローターを回転させるための遠心分離器駆動装置と、前記血液成分採取回路の第１のラインに装着された第１の送液ポンプと、血液成分採取回路の流路を開閉する複数の流路開閉手段と、
前記遠心分離器駆動装置、前記第１の送液ポンプおよび前記流路開閉手段を制御する制御部とを備え、
前記制御部は、ドナーから採取した血液を前記遠心分離器の貯血空間に流入し、血液より血漿を分離して前記血漿採取バッグに採取する血漿採取ステップおよび該血漿採取ステップの終了後、採血を一時中断し、前記血漿採取バッグ内の血漿を前記血漿採取バッグと前記遠心分離器との間で循環させる血漿循環ステップとからなる血漿採取循環ステップを複数回行わせるものであり、かつ該血漿採取循環ステップにおける最初の血漿採取ステップは、前記血漿採取バッグに所定量の血漿を採取するまで行わせるものであり、
前記複数回の血漿採取循環ステップの終了後、血漿循環速度を加速させて、前記遠心分離器内より血小板を流出させ、血小板を前記血小板採取バッグに採取する血小板採取ステップを行わせる血小板採取操作を行うように、前記遠心分離器駆動装置、前記第１の送液ポンプおよび前記流路開閉手段を制御することを特徴とする血液成分採取装置。
【請求項２】
前記制御部は、前記血小板採取ステップの終了後に、前記遠心分離器内の血液を返血する返血ステップが行われるように、前記遠心分離器駆動装置、前記第１の送液ポンプおよび前記流路開閉手段を制御する請求項１に記載の血液成分採取装置。
【請求項３】
前記制御部は、前記複数回の血漿採取循環ステップの終了後であって、前記血小板採取ステップの前に、血液を前記遠心分離器の貯血空間に流入し、ドナーから採取した血液より血漿を分離して前記血漿採取バッグに採取する血漿採取ステップを行うように、前記第１の送液ポンプおよび前記流路開閉手段を制御する請求項１または２に記載の血液成分採取装置。
【請求項４】
前記制御部は、前記血漿採取バッグの重量を検知する重量センサを有する請求項１ないし３のいずれかに記載の血液成分採取装置。
【請求項５】
前記血液成分採取装置は、さらに、前記遠心分離器のローター内の分離された血液成分の界面の位置を検出するセンサを有し、前記制御部は、さらに、前記センサからの信号に基づき、前記血漿採取ステップを終了させるように、前記第１の送液ポンプおよび前記流路開閉手段を制御する請求項１ないし４のいずれかに記載の血液成分採取装置。
【請求項６】
前記制御部は、前記血小板採取操作を少なくとも２回行うように、前記遠心分離器駆動装置、前記第１の送液ポンプおよび前記流路開閉手段を制御する請求項１ないし５のいずれかに記載の血液成分採取装置。
【請求項７】
内部に貯血空間を有するローターと、前記貯血空間に連通する流入口および流出口とを有し、前記ローターの回転により前記流入口より導入された血液を前記貯血空間内で遠心分離する遠心分離器と、採血針もしくは採血器具接続部と前記遠心分離器の流入口とを接続するための第１のラインと、前記遠心分離器の前記流出口に接続される第２のラインと、前記第１のラインに接続された抗凝固剤注入のための第３のラインと、前記第１のラインの途中に接続された第１チューブおよび前記第２ラインと接続された第２チューブを有する血漿採取バッグと、前記第２のラインに接続された血小板採取バッグとからなる血液成分採取回路を備えた血液成分採取装置であって、
該血液成分採取装置は、該遠心分離器の前記ローターを回転させるための遠心分離器駆動装置と、前記第１のラインと前記第１チューブとの接続部より遠心分離器側に配置され、前記第１のラインのための第１の送液ポンプと、前記第３のラインのための第２の送液ポンプと、前記血液成分採取回路の流路の開閉を行うための複数の流路開閉手段と、前記遠心分離器駆動装置、前記第１の送液ポンプ、前記第２の送液ポンプおよび前記複数の流路開閉手段を制御するための制御部を備え、
該制御部は、前記第１の送液ポンプ、第２の送液ポンプを作動させて抗凝固剤が添加された血液を採取し、前記遠心分離器駆動装置を作動させて、血液より前記血漿採取バッグ内に血漿を採取する血漿採取ステップおよびこの血漿採取ステップ終了後に、採血を一時中断し、前記遠心分離器駆動装置を作動させて、前記血漿採取バッグ内の血漿を前記遠心分離器に循環させる血漿循環ステップからなる血漿採取循環ステップを複数回行わせるものであり、かつ該血漿採取循環ステップにおける最初の血漿採取ステップは、前記血漿採取バッグに所定量の血漿を採取するまで行わせるものであり、
上記複数回の血漿採取循環ステップの終了後、前記第１の送液ポンプによる血漿循環速度を加速させて、前記遠心分離器内より血小板を流出させ血小板を前記血小板採取バッグに採取する血小板採取ステップを行わせ、該血小板採取ステップの終了後、前記遠心分離器内の血液を返血する返血ステップを行わせる血小板採取操作が行われるように、前記遠心分離器駆動装置、前記第１の送液ポンプ、前記第２の送液ポンプおよび前記複数の流路開閉手段を制御するものであることを特徴とする血液成分採取装置。
【請求項８】
前記制御部は、前記第１の送液ポンプ、第２の送液ポンプを作動させて抗凝固剤が添加された血液を採取し、前記遠心分離器駆動装置を作動させて、血液より前記血漿採取バッグ内に第１の所定量の血漿を採取する第１の血漿採取ステップと、該第１の血漿採取ステップ終了後に、採血を一時中断し、かつ、前記遠心分離器駆動装置を作動させて、該血漿採取バッグ内の血漿を前記遠心分離器に循環させる第１の血漿循環ステップとからなる第１の血漿採取循環ステップを行わせ、次に、前記第１の送液ポンプ、第２の送液ポンプを作動させて抗凝固剤が添加された血液を採取し、前記遠心分離器駆動装置を作動させて前記血漿採取バッグ内の血漿量が前記第１の所定量より多い第２の所定量となるまで血漿を採取する第２の血漿採取ステップと、該第２の血漿採取ステップ終了後に、採血を一時中断し、かつ、前記遠心分離器駆動装置を作動させて、前記血漿採取バッグ内の血漿を前記遠心分離器に循環させる第２の血漿循環ステップとからなる第２の血漿採取循環ステップを行わせるものである請求項７に記載の血液成分採取装置。
【請求項９】
前記制御部は、前記血漿採取循環ステップを少なくとも３回行わせるものである請求項１または７に記載の血液成分採取装置。
【発明の詳細な説明】
【０００１】
【発明の属する技術分野】
本発明は、血液中から所定の血液成分を分離する血液成分採取装置および血液成分採取回路に関する。
【０００２】
【従来の技術】
採血を行う場合、現在では、血液の有効利用および供血者の負担軽減などの理由から、採血血液を遠心分離などにより各血液成分に分離し、輸血者に必要な成分だけを採取し、その他の成分は供血者に返還する成分採血が行われている。
このような成分採血において、血小板製剤を得る場合、供血者から採血した血液を血液成分採取回路に導入し、該血液成分採取回路に設置された遠心ボウルと呼ばれる遠心分離器により、血漿、白血球、血小板および赤血球の４成分に分離し、その内の血小板を容器に回収して血小板製剤とし、残りの血漿、白血球および赤血球は、供血者に返血することが行われる。
【０００３】
血小板採取方法として、例えば、特表平８−５０９４０３号公報に開示された方式がある。この特表平８−５０９４０３号公報には、液体を全血に既定流速で加えて希釈しながら遠心ボウルに送るという第１の方式、遠心ボウルに全血を送り込み、遠心分離して低密度成分、中密度成分および高密度成分に分離し、低密度成分を第一の容器に取り出した後、回路を切り替えてその低密度成分を第一流速（定速）で循環させて遠心ボウル内の中密度成分領域を広げ、第二流速（加速）で再循環している間に中密度成分を取り出すという第２の方式が開示されている。
【０００４】
【発明が解決しようとする課題】
しかし、上記の第１の方式では、ＡＣＤポンプ、採返血ポンプ、循環ポンプの３台のポンプが必要となり、装置が大型化する。また、第２の方式では、２台のポンプにより血小板を採取することができ、装置の小型化が可能である。しかし、採取される血小板中への白血球の混入が多い。血小板製剤用の血小板含有液としては、白血球の混入のより少ないものが求められている。
そこで、本発明の目的は、装置を小型化でき、白血球の混入が少なく、かつ血小板の採取効率が高く、高濃度の血小板含有液を得ることができる血液成分採取装置を提供する。
【０００５】
【課題を解決するための手段】
上記目的を達成するものは、以下のものである。
（１）内部に貯血空間を有するローターと、前記貯血空間に連通する流入口および流出口とを有し、前記ローターの回転により前記流入口より導入された血液を前記貯血空間内で遠心分離する遠心分離器と、採血針もしくは採血器具接続部と前記遠心分離器の流入口とに接続された第１のラインと、前記遠心分離器の流出口に接続された第２のラインと、前記第１のラインおよび前記第２のラインに接続された血漿採取バッグと、前記第２のラインに接続された血小板採取バッグとを有する血液成分採取回路を備えた血液成分採取装置であって、前記血液成分採取装置は、前記遠心分離器のローターを回転させるための遠心分離器駆動装置と、前記血液成分採取回路の第１のラインに装着された第１の送液ポンプと、血液成分採取回路の流路を開閉する複数の流路開閉手段と、前記遠心分離器駆動装置、前記第１の送液ポンプおよび前記流路開閉手段を制御する制御部とを備え、前記制御部は、ドナーから採取した血液を前記遠心分離器の貯血空間に流入し、血液より血漿を分離して前記血漿採取バッグに採取する血漿採取ステップおよび該血漿採取ステップの終了後、採血を一時中断し、前記血漿採取バッグ内の血漿を前記血漿採取バッグと前記遠心分離器との間で循環させる血漿循環ステップとからなる血漿採取循環ステップを複数回行わせるものであり、かつ該血漿採取循環ステップにおける最初の血漿採取ステップは、前記血漿採取バッグに所定量の血漿を採取するまで行わせるものであり、前記複数回の血漿採取循環ステップの終了後、血漿循環速度を加速させて、前記遠心分離器内より血小板を流出させ、血小板を前記血小板採取バッグに採取する血小板採取ステップを行わせる血小板採取操作を行うように、前記遠心分離器駆動装置、前記第１の送液ポンプおよび前記流路開閉手段を制御する血液成分採取装置。
（２）前記制御部は、前記血小板採取ステップの終了後に、前記遠心分離器内の血液を返血する返血ステップが行われるように、前記遠心分離器駆動装置、前記第１の送液ポンプおよび前記流路開閉手段を制御するものである（１）に記載の血液成分採取装置。
（３）前記制御部は、前記複数回の血漿採取循環ステップの終了後であって、前記血小板採取ステップの前に、血液を前記遠心分離器の貯血空間に流入し、ドナーから採取した血液より血漿を分離して前記血漿採取バッグに採取する血漿採取ステップを行わせる血小板採取操作を行うように、前記第１の送液ポンプおよび前記流路開閉手段を制御する（１）または（２）に記載の血液成分採取装置。
（４）前記制御部は、前記血漿採取バッグの重量を検知する重量センサを有する（１）ないし（３）のいずれかに記載の血液成分採取装置。
（５）前記血液成分採取装置は、さらに、前記遠心分離器のローター内の分離された血液成分の界面の位置を検出するセンサを有し、前記制御部は、さらに、前記センサからの信号に基づき、前記血漿採取ステップを終了させるように、前記第１の送液ポンプおよび前記流路開閉手段を制御する（１）ないし（４）のいずれかに記載の血液成分採取装置。
（６）前記制御部は、前記血小板採取操作を少なくとも２回行うように、前記遠心分離器駆動装置、前記第１の送液ポンプおよび前記流路開閉手段を制御する（１）ないし（５）のいずれかに記載の血液成分採取装置。
（７）内部に貯血空間を有するローターと、前記貯血空間に連通する流入口および流出口とを有し、前記ローターの回転により前記流入口より導入された血液を前記貯血空間内で遠心分離する遠心分離器と、採血針もしくは採血器具接続部と前記遠心分離器の流入口とを接続するための第１のラインと、前記遠心分離器の前記流出口に接続される第２のラインと、前記第１のラインに接続された抗凝固剤注入のための第３のラインと、前記第１のラインの途中に接続された第１チューブおよび前記第２ラインと接続された第２チューブを有する血漿採取バッグと、前記第２のラインに接続された血小板採取バッグとからなる血液成分採取回路のための血液成分採取装置であって、該血液成分採取装置は、該遠心分離器の前記ローターを回転させるための遠心分離器駆動装置と、前記第１のラインと前記第１チューブとの接続部より遠心分離器側に配置され、前記第１のラインのための第１の送液ポンプと、前記第３のラインのための第２の送液ポンプと、前記血液成分採取回路の流路の開閉を行うための複数の流路開閉手段と、前記遠心分離器駆動装置、前記第１の送液ポンプ、前記第２の送液ポンプおよび前記複数の流路開閉手段を制御するための制御部を備え、該制御部は、前記第１の送液ポンプ、第２の送液ポンプを作動させて抗凝固剤が添加された血液を採取し、前記遠心分離器駆動装置を作動させて、血液より前記血漿採取バッグ内に血漿を採取する血漿採取ステップおよびこの血漿採取ステップ終了後に、採血を一時中断し、前記遠心分離器駆動装置を作動させて、前記血漿採取バッグ内の血漿を前記遠心分離器に循環させる血漿循環ステップからなる血漿採取循環ステップを複数回行わせるものであり、かつ該血漿採取循環ステップにおける最初の血漿採取ステップは、前記血漿採取バッグに所定量の血漿を採取するまで行わせるものであり、上記複数回の血漿採取循環ステップの終了後、前記第１の送液ポンプによる血漿循環速度を加速させて、前記遠心分離器内より血小板を流出させ血小板を前記血小板採取バッグに採取する血小板採取ステップを行わせ、該血小板採取ステップの終了後、前記遠心分離器内の血液を返血する返血ステップを行わせる血小板採取操作が行われるように、前記遠心分離器駆動装置、前記第１の送液ポンプ、前記第２の送液ポンプおよび前記複数の流路開閉手段を制御する血液成分採取装置である。
【０００６】
そして、前記制御部は、前記血漿採取循環ステップを少なくとも３回行わせるものであることが好ましい。さらに、前記制御部は、前記複数回の血漿採取循環ステップの終了後であって、前記第１の送液ポンプによる血漿循環速度を加速させる前に、前記第１の送液ポンプ、第２の送液ポンプを作動させて抗凝固剤が添加された血液を採取し、前記遠心分離器駆動装置を作動させて、血液より前記血漿採取バッグ内に所定量の血漿を採取する血漿採取ステップを行わせるものであることが好ましい。
【０００７】
また、前記制御部は、前記第１の送液ポンプ、第２の送液ポンプを作動させて抗凝固剤が添加された血液を採取し、前記遠心分離器駆動装置を作動させて、血液より前記血漿採取バッグ内に第１の所定量の血漿を採取する第１の血漿採取ステップと、該第１の血漿採取ステップ終了後に、採血を一時中断し、かつ、前記遠心分離器駆動装置を作動させて、該血漿採取バッグ内の血漿を前記遠心分離器に循環させる第１の血漿循環ステップとからなる第１の血漿採取循環ステップを行わせ、次に、前記第１の送液ポンプ、第２の送液ポンプを作動させて抗凝固剤が添加された血液を採取し、前記遠心分離器駆動装置を作動させて前記血漿採取バッグ内の血漿量が前記第１の所定量より多い第２の所定量となるまで血漿を採取する第２の血漿採取ステップと、該第２の血漿採取ステップ終了後に、採血を一時中断し、かつ、前記遠心分離器駆動装置を作動させて、前記血漿採取バッグ内の血漿を前記遠心分離器に循環させる第２の血漿循環ステップとからなる第２の血漿採取循環ステップを行わせるものであってもよい。
【０００８】
また、前記制御部は、前記第２の血漿採取循環ステップの終了後、前記第１の送液ポンプ、第２の送液ポンプを作動させて抗凝固剤が添加された血液を採取し、前記遠心分離器駆動装置を作動させて前記血漿採取バッグ内の血漿量が前記第２の所定量より多い第３の所定量となるまで血漿を採取する第３の血漿採取ステップと、該第３の血漿採取ステップ終了後に、採血を一時中断し、かつ、前記遠心分離器駆動装置を作動させて、前記血漿採取バッグ内の血漿を前記遠心分離器に循環させる第３の血漿循環ステップとからなる第３の血漿採取循環ステップを行わせるものであることが好ましい。
【０００９】
また、前記制御部は、前記第３の血漿採取循環ステップの終了後、前記第１の送液ポンプ、第２の送液ポンプを作動させて抗凝固剤が添加された血液を採取し、前記遠心分離器駆動装置を作動させて前記血漿採取バッグ内の血漿量が前記第３の所定量より多い第４の所定量となるまで血漿を採取する第４の血漿採取ステップと、該第４の血漿採取ステップ終了後に、採血を一時中断し、かつ、前記遠心分離器駆動装置を作動させて、前記血漿採取バッグ内の血漿を前記遠心分離器に循環させる第４の血漿循環ステップとからなる第４の血漿採取循環ステップを行わせるものであることが好ましい。
【００１０】
また、前記制御部は、前記第４の血漿採取循環ステップの終了後、前記第１の送液ポンプ、第２の送液ポンプを作動させて抗凝固剤が添加された血液を採取し、前記遠心分離器駆動装置を作動させて前記血漿採取バッグ内に血漿を採取する第５の血漿採取ステップと、該第５の血漿採取ステップ終了後に、採血を一時中断し、かつ、前記遠心分離器駆動装置を作動させて、前記血漿採取バッグ内の血漿を前記遠心分離器に循環させる第５の血漿循環ステップとからなる第５の血漿採取循環ステップを行わせるものであることが好ましい。
【００１１】
そして、前記血液成分採取装置は、前記血漿採取バッグの重量センサを備えていることが好ましい。さらに、前記制御部は、前記血小板採取操作が少なくとも２回行われるように、前記遠心分離器駆動装置、前記第１の送液ポンプ、前記第２の送液ポンプおよび前記複数の流路開閉手段を制御するものであることが好ましい。
【００１２】
また、前記血液成分採取回路は、例えば、前記第２のラインに接続されたバフィーコート採取バッグを備え、前記制御部は、前記血小板採取ステップ終了後であって、前記返血ステップ前に、前記第１の送液ポンプによる血漿循環速度を前記血小板採取ステップにおける最終速度よりも高くし、前記遠心分離器内よりバフィーコートを流出させバフィーコートを前記バフィーコートバッグに採取するバフィーコート採取ステップを行うものであってもよい。
【００１３】
また、前記血液成分採取回路は、例えば、前記第２のラインに接続されたバフィーコート採取バッグを備え、前記制御部は、前記血小板採取ステップ終了後であって、前記返血ステップ前に、前記第１の送液ポンプによる血漿循環速度を前記血小板採取ステップにおける最終速度と同じもしくは高くするとともに、前記遠心分離器のローターの回転速度を下げて、前記遠心分離器内よりバフィーコートを流出させバフィーコートを前記バフィーコートバッグに採取するバフィーコート採取ステップを行うものであってもよい。
【００１４】
さらに、前記制御部は、前記バフィーコート採取ステップの終了後さらに血小板採取操作が行われる場合には、採取されたバフィーコートを次の採血ステップの前に前記遠心分離器内に返還するバフィーコート返還ステップを行わせるように、前記第１の送液ポンプおよび前記複数の流路開閉手段を制御するものであることが好ましい。
【００１７】
【発明の実施の形態】
本発明の血液成分採取装置を図面に示した実施例を用いて説明する。
図１は、本発明の血液成分採取装置に使用される血液成分採取回路の構成例を示す平面図であり、図２は、図１の血液成分採取回路のカセットハウジング部分の平面図であり、図３は、血液成分採取回路に使用される遠心分離器に駆動装置が装着された状態の部分破断断面図であり、図４は、血液成分採取回路を装着した状態の本発明の血液成分採取装置の一実施例の概念図である。
本発明の血液成分採取装置１は、内部に貯血空間を有するローター１４２と、貯血空間に連通する流入口および流出口とを有し、ローター１４２の回転により流入口より導入された血液を貯血空間内で遠心分離する遠心分離器２０と、採血針２９もしくは血液プールへの接続部と遠心分離器２０の流入口とを接続するための第１のライン２１と、遠心分離器２０の流出口に接続された第２のライン２２と、第１のライン２１に接続され、抗凝固剤注入のための第３のライン２３と、第１のライン２１に接続された第１チューブ２５ａおよび第２のライン２２と接続された第２チューブ２５ｂを有する血漿採取バッグ２５と、第２のライン２２に接続された血小板採取バッグ２６とを備える血液成分採取回路２のための血液成分採取装置である。
【００１８】
血液成分採取装置１は、遠心分離器２０のローター１４２を回転させるための遠心分離器駆動装置１０と、第１のライン２１のための第１の送液ポンプ１１と、第３のライン２３のための第２の送液ポンプ１２と、血液成分採取回路２の流路の開閉を行うための複数の流路開閉手段８１，８２，８３，８４，８５，８６，８７と、遠心分離器駆動装置１０、第１の送液ポンプ１１、第２の送液ポンプ１２および複数の流路開閉手段を制御するための制御部１３を備える。
【００１９】
そこで、最初に血液成分採取回路２について説明する。
この血液成分採取回路２は、血液成分、特に血小板を採取するための回路である。血小板採取回路２は、採血針２９のような採血器具、もしくは採血針または血液プール接続部を有する採血器具への接続部（採血器具接続部）、採血針２９もしくは採血器具接続部と遠心分離器２０の流入口とを接続し、第１のポンプチューブ２１ｇを備える第１のライン２１（採血および返血ライン）、遠心分離器２０の流出口と第１のライン２１とを接続するための第２のライン２２、第１のライン２１の採血針２９の近くに接続され、第２のポンプチューブ２３ａを備える第３のライン２３（抗凝固剤注入ライン）、第１のライン２１のポンプチューブ２１ｇより採血針側に接続された第１チューブ２５ａおよび第２のライン２２と接続された第２チューブ２５ｂを有する血漿採取バッグ２５、第２のライン２２に接続された第３チューブ２６ａを備える血小板採取バッグ２６、第２のライン２２に接続された第４チューブ２７ａを備えるバフィーコート採取バッグ２７、第２のライン２２に接続された液体（生理食塩水）注入用の第４のライン２４を備える。血液成分採取回路２としては、採血針ではなく、血液バッグなどの血液プールに接続するための接続部（例えば、金属もしくは合成樹脂針）でもよい。
【００２０】
採血針２９として、公知の金属針が使用される。第１のライン２１は、採血針２９が接続された採血針側第１ライン２１ａと遠心分離器２０の流入口とを接続された遠心分離器側第１ライン２１ｂとからなる。採血針側第１ライン２１ａは、軟質樹脂製チューブが複数接続されて形成されている。採血針側第１ライン２１ａは、採血針側より、第３のライン２３との接続用分岐コネクター２１ｃ、気泡およびマイクロアグリゲート除去のためのチャンバー２１ｄ、第２のライン２２との接続用分岐コネクター２１ｅ、血漿採取バッグ２５の第１チューブ２５ａとの接続用分岐コネクター２１ｆを備える。チャンバー２１ｄには、通気性かつ菌不透過性のフィルター２１ｉが接続されている。遠心分離器側第１ライン２１ｂは、第１チューブ２５ａとの接続用分岐コネクター２１ｆに接続されており、その付近に形成されたポンプチューブ２１ｇを有する。
【００２１】
遠心分離器２０の流出口と第１のライン２１とを接続する第２のライン２２は、一端が遠心分離器２０の流出口に接続され、他端が第１のライン２１の接続用分岐コネクター２１ｅに接続されている。第２のライン２２は、遠心分離器側から、血漿採取バッグ２５の第２チューブ２５ｂならびに血小板採取バッグ２６の第３チューブとの接続用分岐コネクター２２ａ、第４のライン２４との接続用分岐コネクター２２ｂ、気泡除去用フィルター２２ｆを備えるチューブとの接続用分岐コネクター２２ｃ、バフィーコート採取バッグ２７の第４チューブ２７ａとの接続用分岐コネクター２２ｄを備える。
【００２２】
第３のライン２３は、一端が第１のライン２１に設けられた接続用分岐コネクター２１ｃに接続されている。第３のライン２３は、コネクター２１ｃ側より、ポンプチューブ２３ａ、異物除去用フィルター２３ｂ、気泡除去用チャンバー２３ｃ、抗凝固剤容器接続用針２３ｄを備えている。
【００２３】
第４のライン２４は、一端が第２のライン２２の接続用分岐コネクター２２ｂに接続されている。第４のライン２４は、コネクター２２ｂ側より、異物除去用フィルター２４ａ、生理食塩水容器接続用針２４ｂを備えている。
【００２４】
血漿採取バッグ２５は、第１のライン２１のポンプチューブ２１ｇより採血針側に位置する分岐コネクター２１ｆに接続された第１チューブ２５ａ、第２のライン２２の分岐コネクター２２ａに接続された第２チューブ２５ｂを有する。血小板採取バッグ２６は、第２のライン２２の分岐コネクター２２ａに接続された第３チューブ２６ａを備える。バフィーコート採取バッグ２７は、第２のライン２２の分岐コネクター２２ｄに接続された第４チューブ２７ａを備える。
【００２５】
上述した第１から第４のライン２４の形成に使用されるチューブ、ポンプチューブ、さらに、バッグに接続されているチューブの構成材料としては、例えば、ポリ塩化ビニル、ポリエチレン、ポリプロピレン、ＰＥＴやＰＢＴのようなポリエステル、エチレンー酢酸ビニル共重合体、ポリウレタン、ポリエステルエラストマー、スチレンーブタジエンースチレン共重合体等の熱可塑性エラストマー等が挙げられるが、その中でも特に、ポリ塩化ビニルが好ましい。各チューブがポリ塩化ビニル製であれば、十分な可撓性、柔軟性が得られるので取り扱いがし易く、また、クレンメ等による閉塞にも適するからである。また、上述した分岐コネクタの構成材料についても、前記チューブの構成材料と同様のものを用いることができる。なお、ポンプチューブとしては、ローラーポンプにより押圧されても損傷を受けない程度の強度を備えるものが使用されている。
【００２６】
血漿採取バッグ２５、血小板採取バッグ２６、バフィーコート採取バッグ２７は、それぞれ、樹脂製の可撓性を有するシート材を重ね、その周縁部を融着（熱融着、高周波融着等）または接着して袋状にしたものが使用される。各バッグ２５，２６，２７に使用される材料としては、例えば、軟質ポリ塩化ビニルが好適に使用される。この軟質ポリ塩化ビニルにおける可塑剤としては、例えば、ジ（エチルヘキシル）フタレート（ＤＥＨＰ）、ジ−（ｎ−デシル）フタレート（ＤｎＤＰ）等が使用される。なお、このような可塑剤の含有量は、ポリ塩化ビニル１００重量部に対し、３０〜７０重量部程度とするのが好ましい。
【００２７】
また、上記各バッグ２５，２６，２７のシート材料としては、ポリオレフィン、すなわちエチレン、プロピレン、ブタジエン、イソプレン等のオレフィンあるいはジオレフィンを重合または共重合した重合体を用いてもよい。具体的には、例えは、ポリエチレン、ポリプロピレン、エチレン−酢酸ビニル共重合体（ＥＶＡ）、ＥＶＡと各種熱可塑性エラストマーとのポリマーブレンド等、あるいは、これらを任意に組み合せたものが挙げられる。さらには、ポリエチレンテレフタレート（ＰＥＴ）、ポリブチレンテレフタレート（ＰＢＴ）、ポリ−１，４−シクロヘキサンジメチルテレフタレート（ＰＣＨＴ）のようなポリエステル、ポリ塩化ビニリデンを用いることもできる。
【００２８】
なお、血小板採取バッグ２６に使用されるシート材としては、血小板保存性を向上するためにガス透過性に優れるものを用いることがより好ましい。そのようなシート材としては、例えば、上述したポリオレフィンやＤｎＤＰ可塑化ポリ塩化ビニル等を用いること、また、このような素材を用いることなく、上述したような材料のシート材を用い、厚さを比較的薄く（例えば、０．１〜０．５ｍｍ程度、特に、０．１〜０．３ｍｍ程度）したものが好適である。また、血小板バッグには、例えば、生理食塩水、ＧＡＣ、ＰＡＳ、ＰＳＭ−１のような血小板保存液が予め入れられていてもよい。
【００２９】
そして、血液成分採取回路２の主要部分は、図２に示すように、カセット式となっている。血液成分採取回路２は、すべてのライン（第１のライン、第２のライン、第３のライン、第４のライン）およびすべてのチューブ（第１チューブ、第２チューブ、第３チューブ、第４チューブ）を部分的に収納しかつ部分的にそれらを保持し、言い換えれば、部分的にそれらが固定されたカセットハウジング２８を備える。カセットハウジング２８には、第１のポンプチューブ２１ｇの両端および第２のポンプチューブ２３ａの両端が固定され、これらポンプチューブ２１ｇ，２３ａは、カセットハウジング２８より、ローラーポンプの形状に対応したループ状に突出している。このため、第１および第２のポンプチューブ２１ｇ，２３ａは、ローラポンプへの装着が容易である。
【００３０】
さらに、カセットハウジング２８は、カセットハウジング２８内に位置する複数の開口部を備えている。具体的には、ポンプチューブ２１ｇより採血針側部分の第１のライン２１を露出させかつ、血液成分採取装置１の第１の流路開閉手段８１の侵入が可能な第１の開口部９１、血漿採取バッグ２５の第１チューブ２５ａを露出させかつ血液成分採取装置１の第２の流路開閉手段８２の侵入が可能な第２の開口部９２、血漿採取バッグ２５の第２チューブ２５ｂを露出させかつ血液成分採取装置１の第３の流路開閉手段８３の侵入が可能な第３の開口部９３、血小板採取バッグ２６の第３チューブを露出させかつ血液成分採取装置１の第４の流路開閉手段８４の侵入が可能な第４の開口部９４、第２のライン２２とバフィーコート採取バッグ２７の第４チューブ２７ａとの接続部より遠心分離器側（上流側）の位置の第２のライン２２を露出させかつ血液成分採取装置１の第５の流路開閉手段８５の侵入が可能な第５の開口部９５、第１のライン２１との接続部とバフィーコート採取バッグ２７の第４チューブ２７ａとの接続部との間（第２のライン２２と第４チューブ２７ａとの接続部より下流側）の第２のライン２２を露出させかつ血液成分採取装置１の第６の流路開閉手段８６の侵入が可能な第６の開口部９６、第４のライン２４を露出させかつ血液成分採取装置１の第７の流路開閉手段８７の侵入が可能な第７の開口部９７を備えている。
【００３１】
また、カセットハウジング２８の内面には、上述した分岐コネクターが固定されている。さらに、カセットハウジング２８の側面付近には、ハウジングの側面より突出するラインおよびチューブを保持し、かつハウジング部分での折れ曲がりを防止するための補強チューブが設けられている。カセットハウジング２８は、内部に図２において波線で示す部分を収納可能な箱状体となっている。そして、カセットハウジング２８は、ある程度の剛性を有する合成樹脂により形成されている。
【００３２】
血液成分採取装置１は、このカセットハウジング装着部（図示せず）を備えている。このため、カセットハウジング２８を血液成分採取装置１のカセットハウジング装着部に装着することにより、カセットハウジング２８の開口部より露出する部分の各ラインおよび各チューブが、自動的に対応する流路開閉手段に装着される。これにより回路の装着が容易であるとともに、血液成分採取準備も迅速に行える。また、血液成分採取装置１には、カセットハウジング装着部に近接して２つのポンプが設けられている。このため、カセットハウジング２８より露出するポンプチューブのポンプへの装着も容易である。
【００３３】
血液成分採取回路２に設けられている遠心分離器２０は、通常遠心ボウルと呼ばれており、遠心力により血液成分を分離する。遠心分離器２０は、図３に示すように、上端に流入口１４３が形成された鉛直方向に伸びる管体１４１と、管体１４１の回りで回転し、上部１４５に対し液密にシールされた中空のローター１４２とで構成されている。ローター１４２には、その底部および周壁内面に沿って流路（貯血空間）が形成され、この流路の上部に連通するように流出口１４４が形成されている。この場合、ローター１４２の容積は、例えば、１００〜３５０ｍｌ程度とされる。
【００３４】
ローター１４２は、血液成分採取装置１が備えるロータ回転駆動装置１０によりあらかじめ設定された所定の遠心条件（回転速度および回転時間）で回転される。この遠心条件により、ローター１４２内の血液の分離パターン（例えば、分離する血液成分数）を設定することができる。本実施例では、図３に示すように、血液がローター１４２の流路内で内層より血漿層１３１、バフィーコート層１３２および赤血球層１３３に分離されるように遠心条件が設定される。
【００３５】
次に、図４に示す本発明の血液成分採取装置１について説明する。
血液成分採取装置１は、遠心分離器２０のローター１４２を回転させるための遠心分離器駆動装置１０と、第１のライン２１のための第１の送液ポンプ１１と、第３のライン２３のための第２の送液ポンプ１２と、血液成分採取回路２の流路の開閉を行うための複数の流路開閉手段８１，８２，８３，８４，８５，８６，８７と、遠心分離器駆動装置１０、第１の送液ポンプ１１、第２の送液ポンプ１２および複数の流路開閉手段を制御するための制御部１３を備える。さらに、血液成分採取装置１は、第２チューブ２５ｂとの接続部２２ａより遠心分離器側（上流側）の第２のライン２２に装着される濁度センサ１４、遠心分離器２０の上方に取り付けられた光学式センサ１５と、血漿採取バッグ２５の重量を検知するための重量センサ１６を備える。
【００３６】
制御部１３は、第１の送液ポンプ１１および第２の送液ポンプ１２のための２つのポンプコントローラ（図示せず）を備え、制御部１３の制御機構と第１の送液ポンプ１１および第２の送液ポンプ１２とはポンプコントローラを介して電気的に接続されている。遠心分離器駆動装置１０が備える駆動コントローラは、制御部１３と電気的に接続されている。そして、流路開閉手段８１，８２，８３，８４，８５，８６，８７は、すべて制御部１３に接続され、それらの開閉は制御部１３により制御されている。また、濁度センサ１４、遠心分離器２０の上方に取り付けられた光学式センサ１５、血漿採取バッグ２５の重量を検知するための重量センサ１６は、制御部１３と電気的に接続され、それらより出力される信号は制御部１３に入力される。制御部１３は、例えばマイクロコンピュータで構成される制御機構を有し、上述した重量センサ１６、光学式センサ１５、濁度センサ１４からの検出信号は、制御部１３へ随時入力される。制御部１３は、濁度センサ１４、光学式センサ１５、重量センサ１６からの信号に基づき、各ポンプの回転、停止、回転方向（正転／逆転）を制御するとともに、必要に応じ、各流路開閉手段の開閉および遠心分離器回転駆動装置１０の作動を制御する。
【００３７】
第１の流路開閉手段８１は、ポンプチューブ２１ｇより採血針側において第１のライン２１を開閉するために設けられている。第２の流路開閉手段８２は、血漿採取バッグ２５の第１チューブ２５ａを開閉するために設けられている。第３の流路開閉手段８３は、血漿採取バッグ２５の第２チューブ２５ｂを開閉するために設けられている。第４の流路開閉手段８４は、血小板採取バッグ２６の第３チューブを開閉するために設けられている。第５の流路開閉手段８５は、第２のライン２２とバフィーコート採取バッグ２７の第４チューブ２７ａとの接続部２２ｄより遠心分離器側（上流側）の位置にて、第２のライン２２を開閉するために設けられている。第６の流路開閉手段８６は、第１のライン２１との接続部２１ｅと第４チューブ２７ａとの接続部との間（第２のライン２２と第４チューブ２７ａとの接続部より下流側）の位置にて、第２のライン２２を開閉するために設けられている。第７の流路開閉手段８７は、第４のライン２４を開閉するために設けられている。流路開閉手段は、ラインもしくはチューブの挿入部を備え、挿入部には、例えば、ソレノイド、電動モーター、シリンダ（油圧または空気圧）等の駆動源で作動するクランプを有する。具体的には、ソレノイドで作動する電磁クランプが好適である。流路開閉手段のクランプは、制御部１３からの信号に基づいて作動する。
【００３８】
回転駆動装置１０は、図３に示すように、遠心分離器２０を収納するロータ回転駆動装置ハウジング１５１と、脚部１５２と、駆動源であるモータ１５３と、遠心分離器２０を保持する円盤状の固定台１５５とで構成されている。ハウジング１５１は、脚部１５２の上部に載置、固定されている。また、ハウジング１５１の下面には、ボルト１５６によりスペーサー１５７を介してモータ１５３が固定されている。モータ１５３の回転軸１５４の先端部には、固定台１５５が回転軸１５４と同軸でかつ一体的に回転するように嵌入されており、固定台１５５の上部には、ローター１４２の底部が嵌合する凹部が形成されている。また、遠心分離器２０の上部１４５は、図示しない固定部材によりハウジング１５１に固定されている。ロータ回転駆動装置１０では、モータ１５３を駆動すると、固定台１５５およびそれに固定されたローター１４２が、例えば、回転数３０００〜６０００ｒｐｍで回転する。
【００３９】
また、ロータ回転駆動装置ハウジング１５１の内壁には、遠心分離器内の分離された血液成分の界面（例えば、血漿層１３１とバフィーコート層１３２との界面Ｂ、バフィーコート層１３２と赤血球層１３３との界面）の位置を光学的に検出する光学式センサ１５が、取付部材１５８により設置、固定されている。この光学式センサ１５としては、ローター１４２の外周面に沿って上下方向に走査し得る光学式センサが用いられる。このセンサは、遠心分離器２０の肩の部分に向けて光を照射する光源と、遠心ボウルから反射して戻ってくる光を受光する受光部で構成されている。つまり、ＬＥＤのような発光素子と受光素子とが列状に配置され、発光素子から発せられた光の血液成分での反射光を受光素子により受光し、その受光光量を光電変換するように構成されている。分離された血液成分（例えば、血漿層１３１とバフィーコート層１３２との界面Ｂ）により反射光の強度が異なるため、受光光量が変化した受光素子に対応する位置が、界面Ｂの位置として検出される。より、具体的には、遠心分離器２０の光が通過する位置が透明な液体（血漿や水）で充填されている時と、バフィーコート層で充填されている時の、受光部での受光量の差から、バフィーコート層が光通過部に到達したことが検知される。バフィーコート層を検出する位置は、光がボウル内を通過する位置を変えることで調節され、通常は、光線通過位置を決めたら、そこで固定する。
【００４０】
濁度センサ１４は、第２のライン２２中を流れる流体の濁度を検知するためのものであり、濁度に応じた電圧値を出力する。具体的には、濁度が高い時には低電圧値、濁度が低い時には高電圧値を出力する。
【００４１】
第１のライン２１のポンプチューブ２１ｇが装着される第１の送液ポンプ１１ならびに第３のライン２３のポンプチューブ２３ａが装着される第２の送液ポンプ１２としては、ローラーポンプ、ペリスタリックポンプなどの非血液接触型ポンプが好適である。また、第１の送液ポンプ１１（血液ポンプ）としては、いずれの方向にも血液を送ることができるものが使用される。具体的には、正回転と逆回転が可能なローラーポンプが用いられている。
【００４２】
制御部１３は、第１の送液ポンプ１１、第２の送液ポンプを作動させて抗凝固剤が添加された血液を採取し、遠心分離器駆動装置１０を作動させて、血液より血漿採取バッグ２５内に所定量の血漿を採取する血漿採取ステップと、この血漿採取ステップ終了後に、採血を一時中断し、遠心分離器駆動装置１０を作動させて、血漿採取バッグ内の血漿を遠心分離器２０に循環させる血漿循環ステップからなる血漿採取循環ステップを複数回行わせ、上記複数回の血漿採取循環ステップの終了後、第１の送液ポンプ１１による血漿循環速度を加速させて、遠心分離器２０内より血小板を流出させ血小板を血小板採取バッグ２６に採取する血小板採取ステップを行わせ、該血小板採取ステップの終了後、遠心分離器２０内の血液を返血する返血ステップを行わせる血小板採取操作が行われるように、遠心分離器駆動装置１０、第１の送液ポンプ１１、第２の送液ポンプ１２および複数の流路開閉手段を制御する。
【００４３】
具体的には、第１の送液ポンプ１１、第２の送液ポンプ１２を作動させて抗凝固剤が添加された血液を採取し、遠心分離器駆動装置１０を作動させて、血液より血漿採取バッグ２５内に第１の所定量の血漿を採取する第１の血漿採取ステップを行わせ、次に、採血を一時中断し、かつ、遠心分離器駆動装置１０を作動させて、第１の血漿採取バッグ内の血漿を遠心分離器２０に循環させる第１の血漿循環ステップからなる第１の血漿採取循環ステップを行わせ、次に、第１の送液ポンプ１１、第２の送液ポンプ１２を作動させて抗凝固剤が添加された血液を採取し、遠心分離器駆動装置１０を作動させて血漿採取バッグ２５内の血漿量が第１の所定量より多い第２の所定量となるまで血漿を採取する第２の血漿採取ステップと、この第２の血漿採取ステップ終了後に、採血を一時中断し、かつ、遠心分離器駆動装置１０を作動させて、血漿採取バッグ２５内の血漿を遠心分離器２０に循環させる第２の血漿循環ステップとからなる第２の血漿採取循環ステップを行わせるものである。
【００４４】
そして、この実施例の血液成分採取装置１の制御部１３は、第２の血漿循環ステップの終了後、第３の血漿採取循環ステップを行わせるものとなっている。
第３の血漿採取循環ステップでは、第１の送液ポンプ１１、第２の送液ポンプ１２を作動させて抗凝固剤が添加された血液を採取し、遠心分離器駆動装置１０を作動させて血漿採取バッグ２５内の血漿量が第２の所定量より多い第３の所定量となるまで血漿を採取する第３の血漿採取ステップを行わせ、さらに、この第３の血漿採取ステップの終了後、採血を一時中断し、かつ、遠心分離器駆動装置１０を作動させて、血漿採取バッグ内の血漿を遠心分離器２０に循環させる第３の血漿循環ステップを行う。
さらに、この実施例の血液成分採取装置１の制御部１３は、第３の血漿循環ステップの終了後、第４の血漿採取循環ステップを行わせるものとなっている。第４の血漿採取循環ステップでは、第１の送液ポンプ１１、第２の送液ポンプ１２を作動させて抗凝固剤が添加された血液を採取し、遠心分離器駆動装置１０を作動させて血漿採取バッグ２５内の血漿量が第３の所定量より多い第４の所定量となるまで血漿を採取する第４の血漿採取ステップを行い、さらに、この第４の血漿採取ステップの終了後、採血を一時中断し、かつ、遠心分離器駆動装置１０を作動させて、血漿採取バッグ２５内の血漿を遠心分離器２０に循環させる第４の血漿循環ステップを行わせるものとなっている。
なお、第２の所定量は第１の所定量より多いが、血漿採取バッグ２５内の血漿総量が増加するためであり、第２の血漿採取ステップにより採取される血漿量が第１の血漿採取ステップにより採取される血漿量より多い必要はない。つまり、各血漿採取ステップにおいて採取される血漿は任意の量とすればよい。なお、制御上、第１の所定量、第２の所定量、第３の所定量、第４の所定量を、制御部が記憶しており、これと重量センサにより検知される重量信号とを比較し、血漿採取バッグ内の血漿重量がその所定値に到達したことを検知したときに、各血漿採取ステップが終了するものとなっている。
【００４５】
さらに、この実施例の血液成分採取装置１の制御部１３は、第４の血漿循環ステップの終了後、第５の血漿採取循環ステップを行わせるものとなっている。第５の血漿採取循環ステップでは、第１の送液ポンプ１１、第２の送液ポンプ１２を作動させて抗凝固剤が添加された血液を採取し、遠心分離器駆動装置１０を作動させて血漿採取バッグ２５内に血漿を採取する第５の血漿採取ステップを行い、さらに、この第５の血漿採取ステップの終了後、採血を一時中断し、かつ、遠心分離器駆動装置１０を作動させて、血漿採取バッグ２５内の血漿を遠心分離器２０に循環させる第５の血漿循環ステップを行わせるものとなっている。なお、第５の血漿採取ステップでは、界面センサーで検出するため、血漿バッグの重量検知を行わない。
【００４６】
さらに、この実施例の血液成分採取装置１の制御部１３は、上述した第１の血漿採取循環ステップから第５の血漿採取循環ステップからなる血小板採取操作が２回以上、具体的には、３回行われるように、遠心分離器駆動装置１０、第１の送液ポンプ１１、第２の送液ポンプ１２および複数の流路開閉手段を制御するものである。
【００４７】
さらに、この実施例の血液成分採取装置１の制御部１３は、血小板採取ステップ終了後であって、返血ステップ前に、第１の送液ポンプ１１による血漿循環速度を血小板採取ステップにおける最終速度よりも高くし、遠心分離器２０内よりバフィーコートを流出させバフィーコートをバフィーコート採取バッグ２７に採取するバフィーコート採取ステップを行うように制御する。なお、バフィーコート採取ステップは、上記の方法に限定されるものではなく、例えば、第１の送液ポンプ１１による血漿循環速度を血小板採取ステップにおける最終速度を維持し、かつ、遠心分離器２０のローターの回転速度を下げることによりおこなってもよい。さらに、バフィーコート採取ステップは、第１の送液ポンプによる血漿循環速度を血小板採取ステップにおける最終速度より高くするとともに、遠心分離器のローターの回転速度を下げることにより行ってもよい。
【００４８】
そして、バフィーコート採取ステップの終了後、採取されたバフィーコートを次の採血ステップの前に遠心分離器２０内に返還するバフィーコート返還ステップを行わせるように、第１の送液ポンプ１１および複数の流路開閉手段を制御する。
具体的には、全血に抗凝固剤を所定（全血に対して、１／６〜１／１５、具体的には１／１０）比率で加え、所定速度（２５０ｍｌ／ｍｉｎ以下；好ましくは、１５０から４０ｍｌ／ｍｉｎ以下、具体的には、６０ｍｌ／ｍｉｎ以下）で第１のライン２１を介して遠心分離器２０に送り、遠心分離器２０を所定回転数（３０００〜６０００ｒｐｍ、好ましくは、４７００〜４８００ｒｐｍ）で回転させて血液を血漿、バフィーコート、赤血球の各成分に分離し、血漿が遠心分離器２０をオーバーフローしたら血漿バッグに採取し、血漿を所定量（１０〜１５０ｍｌ、好ましくは、２０〜３０ｍｌ）採取した時点で送血を停止して、血漿を所定条件（採血量よりも大きい速度であり、６０〜２５０ｍｌ／ｍｉｎで１０〜９０ｓｅｃ、具体的には、第１循環が２００ｍｌ／ｍｉｎｘ３０ｓｅｃ、第２循環以降が１２０ｍｌ／ｍｉｎｘ３０ｓｅｃ）で、第１のライン２１および第２のライン２２を通して遠心分離器２０に戻し、採血が終了するまでの間、血漿が所定量（最後の循環から起算して採血量１５０ｍｌ以下）に達するごとに血漿循環を繰り返し、遠心分離器２０のバフィーコートが所定半径（具体的には、３０〜４０ｍｍ）に到達した時に、採血を中断し、血漿を所定条件（６０〜２５０ｍｌ／ｍｉｎで１０〜９０ｓｅｃ，具体的には、１２０〜１４０ｍｌ／ｍｉｎで３０ｓｅｃ）で第１のライン２１および第２のライン２２を通して遠心分離器２０に戻し、所定条件（採血量；０から２５００／Ｈｃｔ％［ｍｌ］、具体的には、１２００〜１４００／Ｈｃｔ％［ｍｌ］）条件で再び抗凝固剤加全血を送血した後、血漿を所定条件で第１および第２のライン２２を通して遠心分離器２０に戻し、所定条件にて段階的に速度を上昇させて（ステップワイズな加速；０．１〜９９ｍｌ／ｍｉｎ／ｓｅｃ，具体的には、１０ｍｌ／ｍｉｎ／ｓｅｃ）血小板採取速度（６０〜２５０ｍｌ／ｍｉｎ；実際は２００ｍｌ／ｍｉｎ）に到達させ、遠心分離器２０より、流出してきた血小板を血小板採取バッグ２６に採取するものである。さらに、この装置では、血小板採取後、血液循環速度を維持（６０〜２５０ｍｌ／ｍｉｎ、具体的には、２００ｍｌ／ｍｉｎ）し、かつ、遠心分離器２０の回転数を下げる（今までの回転数より、１００〜３００ｒｐｍ程度下げる、好ましくは、４５００〜４６００ｒｐｍとする）ことにより、流出してきたバフィーコートを採取し、次のサイクルの採血を行う前に、採取したバフィーコートを遠心分離器２０に供給するようになっている。なお、バフィーコートの採取は、血小板採取後、血液循環速度を所定速度（血小板採取速度以上、好ましくは、６０〜２５０ｍｌ／ｍｉｎ、具体的には、２０５ｍｌ／ｍｉｎ）に加速する事により行ってもよい。
【００４９】
この実施例の血液成分採取装置１による血液成分採取工程（第１回目の血小板採取操作）を図４，図５ないし図１０のフローチャートを用いて説明する。この実施例では、血小板採取操作を繰り返して３回行い、さらに、最終回以外の血小板採取ステップ終了後であって、返血ステップ前に、バフィーコート採取ステップを行いかつ次の採血ステップの前に遠心分離器２０にこれを返還するバフィーコート返還ステップを行うようになっている。
【００５０】
まず、最初に、第３のライン２３と採血針２９を抗凝固剤でプライミングし、その後ドナーに穿刺針を穿刺する。
そして、図５に示すように、第１の送液ポンプ１１、第２の送液ポンプ１２を作動させて抗凝固剤が添加された血液を採取し、遠心分離器駆動装置１０を作動させて、血液より血漿採取バッグ２５内に第１の所定量の血漿を採取する第１の血漿採取ステップを行う。
【００５１】
最初の採血が開始されると、血液ポンプ１１が所定速度（例えば、６０ｍｌ／ｍｉｎ）で採血を開始する。このとき、抗凝固剤ポンプである第２のポンプも同時に所定速度（例えば、血液ポンプ速度の１／１０）で抗凝固剤（例えば、ＡＣＤ−Ａ液）を供給する。ドナーから採取された血液はＡＣＤ液と混合され、第１のライン２１を流れ、チャンバー、第１の流路開閉手段８１を通過し、遠心分離器２０に流入する。このとき、第６の流路開閉手段８６、第５の流路開閉手段８５、第２の流路開閉手段８２，第３の流路開閉手段８３，第７の流路開閉手段８７は閉じており、第１の流路開閉手段８１、第４の流路開閉手段８４は開いている。遠心分離器２０にＡＣＤ加血液が供給されると、遠心分離器２０に入っていた滅菌空気は第２のライン２２を流れ、第４の流路開閉手段８４を通過し、血小板採取バッグ２６内に流入する。採血工程開始と同時に遠心分離器２０が所定速度（例えば、４８００ｒｐｍ）で回転を開始し、遠心分離器２０は回転しながらＡＣＤ加血の供給を受けるので、分離器内では血液の遠心分離が行われ、血液は、内側から血漿層、バフィーコート層（ＢＣ層）、赤血球層の３層に分離され、分離器の容量を越えるＡＣＤ加血液（約２７０ｍｌ）が供給されると、遠心分離器２０内は完全に血液により満たされ、遠心分離器２０出口部から血漿が流出する。遠心分離器２０の出口部と接続された第２のライン２２に取り付けられた濁度センサ１４は、ライン中を流れる流体が、空気から血漿に変わったことを検知し、制御部１３は、この濁度センサ１４の検知信号に基づき第４の流路開閉手段８４を閉塞させ、かつ第３の流路開閉手段８３を開放させて、血漿を血漿採取バッグ２５内に採取する。血漿採取バッグ２５は、その重量が重量センサ１６により計測されており、計測された重量信号は制御部１３に入力されている。このため、血漿採取バッグ２５に採取された血漿重量が第１の所定量（１０〜１５０ｇ、例えば、２０ｇ）増加すると、制御部１３は、第１の流路開閉手段８１を閉塞させ、第２の流路開閉手段８２を開放させて、第１の血漿循環ステップに移行する。
【００５２】
第１の血漿循環ステップでは、採血を一時中断し、かつ、遠心分離器駆動装置１０を作動させて、血漿採取バッグ２５内に採取された血漿を遠心分離器２０に循環させる。
第１の血漿循環ステップに入ると、制御部１３は、第１の流路開閉手段８１の閉塞状態および第２の流路開閉手段８２の開放状態を維持し、ＡＣＤポンプは停止し、血液ポンプ１１は所定速度（６０〜２５０ｍｌ／ｍｉｎ、例えば、２００ｍｌ／ｍｉｎ）で作動し、血漿採取バッグ２５の血漿は第２の流路開閉手段８２を通って、（例えば４８００ｒｐｍ）の遠心分離器２０に送られる。同時に遠心分離器２０から流出してきた血漿は濁度センサ１４、第３の流路開閉手段８３を通って血漿採取バッグ２５に流入する。第１の血漿循環ステップが始まって所定時間（１０〜９０秒、例えば、３０秒）が経過すると、制御部１３は、第２の流路開閉手段８２を閉じ、第１の流路開閉手段８１を開いて、第２の血漿採取ステップに移行する。第１の血漿循環は、少なくとも６０ｍｌ／ｍｉｎ以上の流速で、１０秒以上行うことが好ましい。
【００５３】
第２の血漿採取ステップでは、第１の送液ポンプ１１、第２の送液ポンプ１２を作動させて抗凝固剤が添加された血液を採取し、遠心分離器駆動装置１０を作動させて血漿採取バッグ２５内の血漿量が第１の所定量より多い第２の所定量（第１の所定量よりも１０〜１５０ｇ多い）となるまで血漿を採取する。
具体的には、血液ポンプ１１が所定速度（例えば、６０ｍｌ／ｍｉｎ）で採血を開始する。このとき、抗凝固剤ポンプである第２のポンプも同時に所定速度（例えば、血液ポンプ速度の１／１０）で抗凝固剤（例えば、ＡＣＤ−Ａ液）を供給する。ドナーから採取された血液はＡＣＤ液と混合され、所定速度（例えば、４８００ｒｐｍ）で回転する遠心分離器２０に流入し、血漿を血漿採取バッグ２５内に採取する。血漿採取バッグ２５は、その重量が重量センサ１６により計測されており、計測された重量信号は制御部１３に入力されている。このため、血漿採取バッグ２５に採取された血漿重量が第２の所定量（第１の所定量より１０〜１５０ｇ多い、具体的には、第２の所定量＝５０ｇ）に到達すると、制御部１３は、第１の流路開閉手段８１を閉塞させ、第２の流路開閉手段８２を開放させて、第２の血漿循環ステップに移行する。
【００５４】
第２の血漿循環ステップでは、採血を一時中断し、かつ、遠心分離器駆動装置１０を作動させて、血漿採取バッグ２５内の血漿を遠心分離器２０に循環させる。このときの、血液ポンプ速度は所定速度は、第１の血漿循環ステップより遅く、例えば、１２０ｍｌ／ｍｉｎで、約３０ｓｅｃ行う。第２の血漿循環は、６０〜２５０ｍｌ／ｍｉｎの速度で、１０〜９０秒行うことが好ましい。また、第２の血漿循環は、少なくとも６０ｍｌ／ｍｉｎ以上の流速で、１０秒以上行うことが好ましい。
【００５５】
第２の血漿循環ステップの終了後、抗凝固剤が添加された血液を採取し、遠心分離器駆動装置１０を作動させて血漿採取バッグ２５内の血漿量が第２の所定量より多い第３の所定量（第２の所定量よりも１０〜１５０ｇ多い、具体的には、第３の所定量＝８０ｇ）となるまで血漿を採取する第３の血漿採取ステップを行う。
【００５６】
第３の血漿採取ステップでは、第１の送液ポンプ１１が所定速度（例えば、６０ｍｌ／ｍｉｎ）で採血を開始する。このとき、抗凝固剤ポンプである第２のポンプも同時に所定速度（例えば、血液ポンプ速度の１／１０）で抗凝固剤（例えば、ＡＣＤ−Ａ液）を供給する。ドナーから採取された血液はＡＣＤ液と混合され、所定速度（例えば、４８００ｒｐｍ）で回転する遠心分離器２０に流入し、血漿を血漿採取バッグ２５内に採取する。血漿採取バッグ２５は、その重量が重量センサ１６により計測されており、計測された重量信号は制御部１３に入力されている。このため、血漿採取バッグ２５に採取された血漿重量が第３の所定量に到達すると、制御部１３は、第１の流路開閉手段８１を閉塞させ、第２の流路開閉手段８２を開放させて、第３の血漿循環ステップに移行する。
【００５７】
第３の血漿循環ステップでは、採血を一時中断し、かつ、遠心分離器駆動装置１０を作動させて、血漿採取バッグ２５内の血漿を遠心分離器２０に循環させる。このときの、血液ポンプ速度は所定速度は、第１の血漿循環ステップより遅く、例えば、１２０ｍｌ／ｍｉｎで、約３０ｓｅｃ行う。第３の血漿循環は、６０〜２５０ｍｌ／ｍｉｎの速度で、１０〜９０秒行うことが好ましい。また、第３の血漿循環は、少なくとも６０ｍｌ／ｍｉｎ以上の流速で、１０秒以上行うことが好ましい。
【００５８】
次に、第３の血漿循環ステップの終了後、抗凝固剤が添加された血液を採取し、遠心分離器駆動装置１０を作動させて血漿採取バッグ２５内の血漿量が第３の所定量より多い第４の所定量（第３の所定量よりも１０〜１５０ｇ多い：具体的には、第４の所定量＝１２０ｇ）となるまで血漿を採取する第４の血漿採取ステップを行う。
【００５９】
具体的には、第１の送液ポンプ１１が所定速度（例えば、６０ｍｌ／ｍｉｎ）で採血を開始する。このとき、抗凝固剤ポンプである第２のポンプも同時に所定速度（例えば、血液ポンプ速度の１／１０）で抗凝固剤（例えば、ＡＣＤ−Ａ液）を供給する。ドナーから採取された血液はＡＣＤ液と混合され、所定速度（例えば、４８００ｒｐｍ）で回転する遠心分離器２０に流入し、血漿を血漿採取バッグ２５内に採取する。血漿採取バッグ２５は、その重量が重量センサ１６により計測されており、計測された重量信号は制御部１３に入力されている。このため、血漿採取バッグ２５に採取された血漿重量が第４の所定量に到達すると、制御部１３は、第１の流路開閉手段８１を閉塞させ、第２の流路開閉手段８２を開放させて、第４の血漿循環ステップに移行する。
【００６０】
第４の血漿循環ステップでは、採血を一時中断し、かつ、遠心分離器駆動装置１０を作動させて、血漿採取バッグ２５内の血漿を遠心分離器２０に循環させる。このときの、血液ポンプ速度は所定速度は、第１の血漿循環ステップより遅く、例えば、１２０ｍｌ／ｍｉｎで、約３０ｓｅｃ行う。第４の血漿循環は、６０〜２５０ｍｌ／ｍｉｎの速度で、１０〜９０秒行うことが好ましい。また、第４の血漿循環は、少なくとも６０ｍｌ／ｍｉｎ以上の流速で、１０秒以上行うことが好ましい。
【００６１】
次に、第４の血漿循環ステップの終了後、抗凝固剤が添加された血液を採取し、遠心分離器駆動装置１０を作動させて血漿採取バッグ２５内に血漿を採取する第５の血漿採取ステップを行う。具体的には、第１の送液ポンプ１１が所定速度（例えば、６０ｍｌ／ｍｉｎ）で採血を開始する。このとき、抗凝固剤ポンプである第２のポンプも同時に所定速度（例えば、血液ポンプ速度の１／１０）で抗凝固剤（例えば、ＡＣＤ−Ａ液）を供給する。ドナーから採取された血液はＡＣＤ液と混合され、所定速度（例えば、４８００ｒｐｍ）で回転する遠心分離器２０に流入し、血漿を血漿採取バッグ２５内に採取する。通常、バッグ内の血漿量の増加により、光学式センサ１５が、分離器のバフィーコート層を検出すると、この信号が制御部１３に送られ、制御部１３は、第１の流路開閉手段８１を閉塞させ、第２の流路開閉手段８２を開放させて、第５の血漿循環ステップに移行する。第５の血漿採取ステップでは、センサがバフィーコート（ＢＣ界面：血漿層とバフィーコート層との界面）を検知するまで血漿を採取する。なお、この実施例の装置では、図５、図７および図９のフローチャートにも示されているように、第１から第４の各血漿採取ステップにおいても、ＢＣ界面の検知を行っており、もし、これら第１から第４の血漿採取ステップ中にＢＣ界面が検知されると、血漿採取を中断し、第５血漿循環ステップ（このような場合には、第５回ではないので、最終循環ステップ）に移行する。
【００６２】
第５の血漿循環ステップ（最終血漿循環ステップ）では、採血を中断し、かつ、遠心分離器駆動装置１０を作動させて、血漿採取バッグ内の血漿を遠心分離器２０に循環させる。ここでの血液ポンプ速度の所定速度は、例えば、１２０ｍｌ／ｍｉｎで、継続時間は、例えば、３０ｓｅｃである。第５の血漿循環は、６０〜２５０ｍｌ／ｍｉｎの速度で、１０〜９０秒行う。第５の血漿循環は、少なくとも６０ｍｌ／ｍｉｎ以上の流速で、１０秒以上行うことが好ましい。この循環ステップ終了後、図６の▲１▼に移行し、界面調整用の採血ステップを行う。
【００６３】
図６に示すように、界面調整用の採血ステップは、少量血漿採取ステップともいえる。このステップでは、後に行う血小板採取工程でのバフィーコート層の位置をドナーによらず一定にするために、所定の赤血球供給量分だけ採血する。赤血球供給量は採血量をドナーのヘマトクリット値で除した値で定義され、採血量は、１２ｍｌ程度が一般的である。この採血においても、第１の送液ポンプ１１が所定速度（例えば、６０ｍｌ／ｍｉｎ）で採血を開始する。このとき、抗凝固剤ポンプである第２のポンプも同時に所定速度（例えば、血液ポンプ速度の１／１０）で抗凝固剤（例えば、ＡＣＤ−Ａ液）を供給する。ドナーから採取された血液はＡＣＤ液と混合され、所定速度（例えば、４８００ｒｐｍ）で回転する遠心分離器２０に流入され、少量の血漿採取が行われる。制御部１３は、設定採取量とポンプ速度より採取時間を演算し、採取時間を経過したときに、採血を終了させる。そして、制御部１３は、第１の流路開閉手段８１を閉塞させ、第２の流路開閉手段８２を開放させて、血小板採取ステップに移行する。
【００６４】
上記ステップの終了後、第１の送液ポンプ１１による血漿循環速度を加速させて、遠心分離器２０内より血小板を流出させ血小板を血小板採取バッグ２６に採取する血小板採取ステップを行う。血小板採取ステップは、いわゆる加速工程とも呼ばれる。このステップでは、血液ポンプ速度が、第４の循環ステップと同じ速度から２００ｍｌ／ｍｉｎまで、所定時間（例えば、１秒間）毎に１０ｍｌ／ｍｉｎずつ加速するように、制御部１３は血液ポンプを操作し、２００ｍｌ／ｍｉｎに到達したら、血小板採取工程が終了するまで、その速度を維持する。
【００６５】
血小板採取ステップが始まると、濁度センサ１４が通過する液の濁度を検知し、濁度はセンサにより電圧値として出力され、出力された信号は、制御部１３に入力される。血液ポンプの速度が上昇し、おおよそ１６０から２００ｍｌ／ｍｉｎに達した時点で遠心分離器２０にとどまっていたバフィーコート層に含まれる血小板が流出する。血小板が流出すると濁度センサ１４部分を通過する液の濁度が大きくなり、センサより出力される電圧値が０．２Ｖ低下した時点で第３の流路開閉手段８３が閉じて第４の流路開閉手段８４が開き、遠心分離器２０から流出してくる血小板リッチな血漿を血小板採取バッグ２６に採取する。濁度センサ１４から出力される電圧値は、制御部１３により血小板濃度に換算され、血小板採取中の血小板採取バッグ２６の血小板濃度を演算する。血小板採取バッグ２６の血小板濃度は一旦最高濃度に到達したのち、濃度が低下する。最高濃度に到達したことを検知した時点において、血小板採取ステップは終了し、バフィーコート採取ステップに移行する。
【００６６】
バフィーコート採取ステップでは、上述の血小板採取ステップが終了すると、制御部１３は、第４の流路開閉手段８４を閉じ、第５の流路開閉手段８５を開放させる。血漿採取バッグ２５内の血漿は、血液ポンプ１１により、遠心分離器２０に送られ、同時に遠心分離器２０から流出した液（バフィーコート層が流出したもの）は、バフィーコート採取バッグ２７に流入する。バフィーコート採取ステップでは、血液ポンプ速度が血小板採取ステップにおける最終速度のまま維持され、かつ、遠心分離器の回転速度が４６００ｒｐｍに下げられ、これにより、遠心分離器２０内よりバフィーコートを流出させバフィーコート採取バッグ２７に採取する。ドナーのヘマトクリット値と血小板採取量から演算された量を採取した時点で、血液ポンプ１１は停止し、全バルブが閉じ、遠心分離器２０の回転が停止してバフィーコート採取ステップが終了する。
次に、遠心分離器２０内の血液を返血する返血ステップを行う。制御部１３は、血液ポンプ１１を逆回転させ、また、第１の流路開閉手段８１を開放し、遠心分離器２０内に残った赤血球層を、第１のライン２１よりドナーに返血する。
これにより、１回（初回）の血小板採取操作が終了する。
【００６７】
続いて、図７に示す、２回目の血小板採取操作に移行する。
最初に、図７に示すように、第１回の血小板採取ステップにより採取されたバフィーコートを次の採血ステップの前に遠心分離器２０内に返還するバフィーコート返還ステップが行われる。バフィーコート返還ステップに移行すると、制御部１３は、遠心分離器２０を所定回転数（例えば、４８００ｒｐｍ）で回転させ、第５の流路開閉手段８５、第４の流路開閉手段８４を開放し、血液ポンプ１１を所定速度（デフォルトは１００ｍｌ／ｍｉｎ）で作動させる。バフィーコート採取バッグ２７に入っているバフィーコートは、第５の流路開閉手段８５を通り、遠心分離器２０に供給される。遠心分離器２０の空気は、第２のライン２２、第４の流路開閉手段８４を通って血小板採取バッグ２６に送られる。バフィーコート採取量分だけ血液ポンプ１１が回転した後、バフィーコート返還ステップは終了する。
【００６８】
そして、上述した第１の血漿採取ステップ、第１の血漿循環ステップ、第２の血漿採取ステップ、第２の血漿循環ステップ、第３の血漿採取ステップ、第３の血漿循環ステップ、第４の血漿採取ステップ、第４の血漿循環ステップ、第５の血漿採取ステップ、第５の血漿循環ステップ、終了後図８に示す▲２▼に移行し、界面調整用の採血ステップ、血小板採取ステップ、バフィーコート採取ステップ、返血ステップを順次行い、２回目の血小板採取操作が終了する。
【００６９】
次に、図９に示す、最終回の血小板採取操作について説明する。なお、この実施例では、３回目が最終回となっているが、これに限らず、４回目以降が最終回の血小板採取操作となるものでもよい。この場合、最終回以外は、２回目の血小板採取操作（図７および図８）と同じである。
最初に、図９に示すように、第２回の血小板採取操作により採取されたバフィーコートを次の採血ステップの前に遠心分離器２０内に返還するバフィーコート返還ステップを行う。
バフィーコート返還ステップに以降すると、制御部１３は、遠心分離器２０を所定回転数（例えば、４８００ｒｐｍ）で回転させ、第５の流路開閉手段８５、第４の流路開閉手段８４を開放し、血液ポンプ１１を所定速度（デフォルトは１００ｍｌ／ｍｉｎ）で作動させる。バフィーコート採取バッグ２７に入っているバフィーコートは、第５の流路開閉手段８５を通り、遠心分離器２０に供給される。遠心分離器２０の空気は、第２のライン２２、第４の流路開閉手段８４を通って血小板採取バッグ２６に送られる。バフィーコート採取量分だけ血液ポンプ１１が回転した後、バフィーコート返還ステップは終了する。
【００７０】
次に、第１の送液ポンプ１１、第２の送液ポンプ１２を作動させて抗凝固剤が添加された血液を採取し、遠心分離器駆動装置１０を作動させて、血液より血漿採取バッグ２５内に第１の所定量の血漿を採取する第１の血漿採取ステップを行う。
【００７１】
最初の採血が開始されると、第１の送液ポンプ１１が所定速度（例えば、６０ｍｌ／ｍｉｎ）で採血を開始する。このとき、抗凝固剤ポンプである第２のポンプも同時に所定速度（例えば、血液ポンプ速度の１／１０）で抗凝固剤（例えば、ＡＣＤ−Ａ液）を供給する。ドナーから採取された血液はＡＣＤ液と混合され、第１のライン２１を流れ、チャンバー、第１の流路開閉手段８１を通過し、遠心分離器２０に流入する。このとき、第６の流路開閉手段８６、第５の流路開閉手段８５、第２の流路開閉手段８２，第３の流路開閉手段８３，第７の流路開閉手段８７は閉じており、第１の流路開閉手段８１、第５の流路開閉手段８５は開いており、遠心分離器２０にＡＣＤ加血液が供給されると、元々遠心分離器２０に入っていた滅菌空気はラインセンサ、第５の流路開閉手段８５を通ってバフィーコート採取バッグ２７に流入する。採血工程開始と同時に遠心分離器２０が所定速度（例えば、４８００ｒｐｍ）で回転を開始し、遠心分離器２０は回転しながらＡＣＤ加血の供給を受けるので、分離器内では血液の遠心分離が行われ、血液は、内側から血漿層、バフィーコート層（ＢＣ層）、赤血球層の３層に分離され、分離器の容量を越えるＡＣＤ加血液（約２７０ｍｌ）が供給されると、遠心分離器２０内は完全に血液により満たされ、遠心分離器２０出口部から血漿が流出する。遠心分離器２０の出口部と接続された第２のライン２２に取り付けられた濁度センサ１４は、ライン中を流れる流体が、空気から血漿に変わったことを検知し、制御部１３は、この濁度センサ１４の検知信号に基づき、第５の流路開閉手段８５を閉塞させ、かつ第３の流路開閉手段８３を開放させて、血漿を血漿採取バッグ２５内に採取する。血漿採取バッグ２５は、その重量が重量センサ１６により計測されており、計測された重量信号は制御部１３に入力されている。このため、血漿採取バッグ２５に採取された血漿重量が所定量（例えば、２０ｇ）増加すると、制御部１３は、第１の流路開閉手段８１を閉塞させ、第２の流路開閉手段８２を開放させて、第１の血漿循環ステップに移行する。
【００７２】
そして、上述した第１の血漿循環ステップ、第２の血漿採取ステップ、第２の血漿循環ステップ、第３の血漿採取ステップ、第３の血漿循環ステップ、第４の血漿採取ステップ、第４の血漿循環ステップ、第５の血漿採取ステップ、第５の血漿循環ステップを行い、図１０に示す▲３▼に移行し、界面調整用の採血ステップ、血小板採取ステップ、返血ステップを順次行い、最終回の血小板採取操作が終了する。最終回と２回目との相違は、上述した第１の血漿循環ステップにおける空気を流入させるバッグが相違する点と、最終回では、バフィーコート採取ステップを行うことなく返血ステップを行う点である。
【００７３】
粒子懸濁液では，粒子濃度が高くなるにつれて懸濁液の見かけ粘度が高くなることが知られている。粘度が高くなると，異なる比重をもつ粒子間の沈降速度差が小さくなる。これを血小板採取工程にあてはめると、遠心分離器２０内での粘度が高くなると、血小板と一緒に血小板より比重の大きい白血球が流出する確率が上昇することになる。また、採血中遠心分離器２０は回転しており，遠心分離器２０内の血液成分には常に遠心力がかかっており、遠心分離器２０内の各血液成分は遠心力によって濃縮が進み、分離器の外側より、図３に示すように血球層、バフィーコート層、血漿層に分離される。そして、各層中の粒子は、外側から順次小さいものとなっている。
【００７４】
遠心分離器２０内には、いわゆる複数のケーキ層が形成され、このケーキ層が徐々に圧縮される。そして、新たに流入する全血は、遠心分離器２０の最外層の血球により形成されたケーキ層より流入し、血球はこのケーキ層により捕捉され他の成分は通過し、バフィーコート層、血漿層に移行する。しかし、血球ケーキ層、バフィーコートケーキ層が過剰に圧縮されると各層内の微粒子間の隙間が小さくなり、血小板が、血球ケーキ層もしくはバフィーコートケーキ層に捕捉されることが起きる。このため、血小板の採取効率が低下するものと予想する。
【００７５】
しかし、本発明では、血漿採取ステップを複数回に区分し、一回血漿採取ステップ時間を短くできるため、上述のケーキ層の圧縮の進行が少ない上に、複数の血漿循環工程を備えている。このため、血球成分を含まない血漿成分のみが遠心分離器２０に流入され、血漿成分は血球ケーキ層およびバフィーコートケーキ層を短時間に通過するため、血球ケーキ層およびバフィーコートケーキ層を膨潤させるため、もしケーキ層の圧縮が生じていてもこれが解消されるものと予想する。これにより、血球ケーキ層、バフィーコートケーキ層の過剰圧縮が抑制され、血小板が、血球ケーキ層もしくはバフィーコートケーキ層に捕捉されることを減少させるものと考える。
【００７６】
【実施例】
図４に示すような回路構成で、ＡＣＤポンプと血液ポンプ１１の２台で構成される装置を作成し、血小板採取性能を比較した。ドナーは同じドナーを用い、２週間以上間隔を開けて比較実験を行った。以下に評価した動作フローを比較したものを示した。ｎ＝２例で比較した。得られた濃厚血小板血漿の血小板数、白血球数をＳｙｓｍｅｘ（Ｒ）ＮＥ−６０００で測定した。但し、ＳｙｓｍｅｘのＷＢＣ測定下限は０．１Ｘ１０2［Ｃｅｌｌｓ／ｍｕＬ］なので、測定下限を下回ったサンプルではＮａｇｅｏｔｔｅ［１：９］法を用いて側定した。血小板採取量は４０ｍｌとした。
【００７７】
（実施例）
血小板採取操作は、３回とし、上述の方法により行った。なお、採血速度は、６０ｍｌ／ｍｉｎ、血漿総量が２０ｇとなった後に行う第１循環条件（２００ｍｌ／ｍｉｎ，３０ｓｅｃ）、血漿総量が５０ｇとなった後に行う第２循環条件（１２０ｍｌ／ｍｉｎ，３０ｓｅｃ）、血漿総量が８０ｇとなった後に行う第３循環循環（１２０ｍｌ／ｍｉｎ，３０ｓｅｃ）、光学式センサがバフィーコート層検出後に行う第４循環条件（１２０ｍｌ／ｍｉｎ，３０ｓｅｃ）、血小板採取時の加速条件（１０ｍｌ／ｍｉｎ／ｓｅｃ）、血小板採取速度（２００ｍｌ／ｍｉｎ，血小板採取所定濃度まで）、バフィーコート採取速度（２０５ｍｌ／ｍｉｎ，４０ｍｌ）とし、２回目および３回目は、採血前にバフィーコートを遠心分離器に返還し、３回目には、バフィーコート採取を行わなかった。
【００７８】
（比較例）
装置としては、実施例と同じものを用いた。血小板採取操作は、３回とし、各条件は、以下のようにした。採血速度は、６０ｍｌ／ｍｉｎ、光学式センサがバフィーコート層検出後に、第１の循環（１２０ｍｌ／ｍｉｎ，３ｓｅｃ）と第２の循環（７５ｍｌ／ｍｉｎ，２７ｓｅｃ）行い、血小板採取時の加速条件（８ｍｌ／ｍｉｎ／ｓｅｃ）、血小板採取（血小板最高濃度の５０％まで）とした。
そして、採取された実施例および比較例の濃厚血小板血漿の血小板濃度、白血球濃度は以下の通りである。
【００７９】
【表１】
0003944279.tif 000002
【００８０】
【表２】
0003944279.tif 000003
【００８１】
【発明の効果】
本発明の血液成分採取装置では、１回の血小板採取操作中に、採血を一時中止しそして採取された血漿を遠心分離器に再循環する血漿再循環ステップが少なくとも、２回行われるので、遠心分離器内での血球層、バフィーコート層が過剰圧縮されることを抑制し、白血球の混入が少なく、かつ血小板の採取効率も高い血小板含有液（濃厚血小板血漿）を得ることができる。
【図面の簡単な説明】
【図１】図１は、本発明の血液成分採取装置に使用される血液成分採取回路の構成例を示す平面図である。
【図２】図２は、図１の血液成分採取回路のカセットハウジング部分の平面図である。
【図３】図３は、血液成分採取回路に使用される遠心分離器に駆動装置が装着された状態の部分破断断面図である。
【図４】図４は、血液成分採取回路を装着した状態の本発明の血液成分採取装置の一実施例の概念図である。
【図５】図５は、本発明の血液成分採取装置の作用を説明するためのフローチャートである。
【図６】図６は、本発明の血液成分採取装置の作用を説明するためのフローチャートである。
【図７】図７は、本発明の血液成分採取装置の作用を説明するためのフローチャートである。
【図８】図８は、本発明の血液成分採取装置の作用を説明するためのフローチャートである。
【図９】図９は、本発明の血液成分採取装置の作用を説明するためのフローチャートである。
【図１０】図１０は、本発明の血液成分採取装置の作用を説明するためのフローチャートである。
【符号の説明】
１  血液成分採取装置
２  血液成分採取回路
１０  遠心分離器駆動装置
１１  第１の送液ポンプ
１２  第２の送液ポンプ
１３  制御部
１４  濁度センサ
１５  光学式センサ
１６  重量センサ
２０  遠心分離器
２１  第１のライン
２２  第２のライン
２３  第３のライン
２４  第４のライン
２５  血漿採取バッグ
２６  血小板採取バッグ
２９  採血針
【図１】
0003944279.tif 000004
【図２】
0003944279.tif 000005
【図３】
0003944279.tif 000006
【図４】
0003944279.tif 000007
【図５】
0003944279.tif 000008
【図６】
0003944279.tif 000009
【図７】
0003944279.tif 000010
【図８】
0003944279.tif 000011
【図９】
0003944279.tif 000012
【図１０】
0003944279.tif 000013